(57)【要約】【課題】食器かごに載置できる食器の種類や載置する方向を直感的に認識できるようにした上で、１つの領域に異なる種類の食器類を載置する際にも安定して載置可能にしてセット性を向上した食器かごを備え、使い勝手が良く本来の洗浄性能が発揮できる食器洗い機を提供する。【解決手段】筐体１と、筐体１内に設けられる洗浄槽２と、洗浄槽２内に設けられ、食器類９が戴置される食器かご２３とを備え、食器かご２３は、食器類９の種類によって区分されたセット部２９を有し、セット部２９は、食器類９を下から支える支持部３２と、食器類９の断面または輪郭の形状を模した誘導形状部としてのリング状リブ３５とを有し、支持部３２を平面上に含む支持部面Ｗ１と、誘導形状部を平面上に含む誘導形状部面Ｗ２とは、異なる位置に構成されるものである。【選択図】図８
2015160027.tif 000002
【特許請求の範囲】
【請求項１】
筐体と、前記筐体内に設けられる洗浄槽と、前記洗浄槽内に設けられ、食器類が戴置される食器かごとを備え、前記食器かごは、食器の種類によって区分されたセット部を有し、前記セット部のうち少なくとも１つは、前記食器類を下から支える支持部と、前記食器類の断面または輪郭の形状を模した誘導形状部とを有し、前記支持部を平面上に含む支持部面と、前記誘導形状部を平面上に含む誘導形状部面とは、異なる位置に構成された食器洗い機。
【請求項２】
前記食器かごは、前記誘導形状部面が前記支持部面より下方に形成された請求項１記載の食器洗い機。
【請求項３】
前記誘導形状部を第１の誘導形状部とし、前記支持部を第１の戴置部として、前記食器かごは、前記第１の誘導形状部がコップ類の輪郭または断面形状に形成され、前記第１の支持部にコップまたはコップに類似した形状の食器が伏せて戴置されるように構成された請求項１または２記載の食器洗い機。
【請求項４】
前記食器かごは、前記第１の支持部と、前記コップ類とは異なる形状の食器が横向きに立てて戴置される第２の支持部とを備え、前記第１の支持部が形成される範囲と前記第２の支持部が形成される範囲とが重なる１つの領域を有するように構成された請求項３記載の食器洗い機。
【請求項５】
前記食器かごは、前記第２の支持部に戴置される食器の断面または輪郭の形状を模した第２の誘導形状部を有する請求項４記載の食器洗い機。
【請求項６】
前記食器かごは、前記支持部などを構成する縦桟と横桟とを備え、少なくとも前記縦桟と前記横桟のいずれかの下面に波状の水切り部が形成された請求項１〜５のうちいずれか１項記載の食器洗い機。
【請求項７】
前記食器かごは、前記縦桟が横並びに連続する所定位置に横方向の細かい溝が形成され、前記溝に包丁の刃が戴置される包丁用セット部を備えた請求項１〜６のうちいずれか１項記載の食器洗い機。
【発明の詳細な説明】
【技術分野】
【０００１】
本発明は食器類を洗浄する食器洗い機に関するもので、特に食器が載置される食器かごに関するものである。
【背景技術】
【０００２】
従来、一般的な食器洗い機は、洗浄水を加熱しながら洗浄ノズルより食器類に向けて噴射して食器類を洗浄する。以下に、一般的な食器洗い機の構成について、図１３を用いて説明する。図１３は、従来の食器洗い機の側面断面図である。
【０００３】
図１３に示すように、従来の食器洗い機は、少なくとも、筐体１と、洗浄槽２と、給水弁３と、洗浄ポンプ５と、洗浄ノズル７と、ヒータ８と、食器かご１０と、排水ポンプ１１などから構成されている。食器洗い機の本体の前面に、開閉して食器類９を出し入れする扉体１ａが設けられている。洗浄槽２は、食器洗い機の内部に設けられ、給水弁３により水または湯が供給されるように構成されている。また、洗浄槽２の底部に排水孔４が設けられている。洗浄ポンプ５は、排水孔４に連通して取り付けられ、モータによって駆動される。洗浄ポンプ５は、洗浄水を洗浄ノズル７から噴射させて洗浄槽２の内部に循環させる。また、食器類９から洗い落とされた残菜を捕集する残菜フィルタ６が排水孔４に設けられている。なお、洗浄槽２内に収容された食器類９などの被洗浄物の洗浄およびすすぎステップで用いられる液体を洗浄水と称して説明する。
【０００４】
具体的には、まず、洗浄槽２内に供給され、貯留された洗浄水は、残菜フィルタ６を通過して洗浄ポンプ５に吸い込まれる。吸い込まれた洗浄水は、洗浄ポンプ５により洗浄槽２内に設けられた洗浄ノズル７に圧送される。供給された洗浄水は、洗浄ノズル７から食器類９に向けて噴射される。そして、洗浄ノズル７から噴射された洗浄水は、食器類９を洗浄した後、再び排水孔４に戻るという経路で循環する。このとき、食器類９から脱落した残菜などは、洗浄水とともに残菜フィルタ６に流入する。そして、残菜フィルタ６を通過できない大きさの残菜は残菜フィルタ６に捕集される。
【０００５】
また、ヒータ８は、洗浄ノズル７と洗浄槽２の底部との間に配設され、洗浄水を加熱する。具体的には、ヒータ８は、洗浄時において、洗浄水が洗浄槽２に所定の水位まで給水されると洗浄ポンプ５の起動とほぼ同時に通電される。そして、洗浄水は洗浄槽２内を循環しながら約６０℃まで加熱される。また、食器かご１０は、食器類９を整然と配置するように構成され、洗浄ノズル７の上方に配設されている。これにより、食器洗い機は、食器かご１０に配置された食器類９に対して、洗浄水を効果的に食器類９に噴射して効率的に洗浄を行う。また、排水ポンプ１１は、排水ホース１２を通して洗浄水を機外に排出する。
【０００６】
さらに、食器洗い機の本体の底部に、外気を洗浄槽２に取り入れる送風ファン１３と、一連の洗浄運転を制御して実行する制御装置１５が設けられている。また、洗浄水の温度を検知するサーミスタ１４が排水孔４の外側に配設されている。
【０００７】
以上のように構成された食器洗い機の運転について簡単に説明する。食器洗い機の運転は制御装置１５により制御される。まず、食器類９に付着した食品の汚染物を洗い落とす洗浄ステップを行う。洗浄ステップでは、洗浄槽２内に事前に投入された洗剤を溶かしながら、洗剤を含んだ洗浄水を洗浄ノズル７から噴射し、食器類９に付着した汚染物を洗い落とす。その後、きれいな水に入れ替えて、食器類９に付着した洗剤などをすすぐすすぎステップを行う。次に、さらに衛生的に仕上げるために、７０℃〜８０℃の高温のきれい
な加熱水ですすぐ加熱すすぎステップを行う。加熱すすぎステップの次に乾燥ステップを行う。乾燥ステップでは外気を送風ファン１３により洗浄槽２内に取り入れる。そして、取り入れた外気をヒータ８により加熱して暖めた後、食器類９の間を流す。これにより、食器類９に付着した水滴を乾かして食器類９を乾燥させる。
【０００８】
このような従来の食器洗い機において、ワイヤ製の食器かごに樹脂製の食器かごを組み合わせ、着脱可能とするとともに、さまざまな形状の食器をセットできるようにしたものが提案されている（例えば、特許文献１参照）。図１４は、従来の食器洗い機の食器かごの斜視図である。図１５は、従来の食器洗い機の樹脂性のセットかごの平面図である。
【０００９】
食器かご１０は、ワイヤにより格子状の枠体１０ａに構成されている。そして、一部の領域を皿類が横向きに立てて戴置される皿類セット部１６として、ワイヤを上部に突出させて皿類を前後から支持する支持ピン１６ａが形成されている。食器かご１０は、洗浄ノズル７により噴射された洗浄水を食器類９に効率よく当てるため、格子形状で隙間をなるべく大きくした構成となっている。さらに、碗類や皿類を戴置するため樹脂製のセットかご１７が着脱可能に取り付けられている。セットかご１７は左右に複数の突起形状などからなる支持ピン１８が数多く配置され、さまざまな形状の碗類や皿類を載置可能に構成されている。
【００１０】
使用者がセットかご１７に碗類を載置する場合、複数の支持ピン１８を利用して支持位置を変えることにより、さまざまな形状の食器を安定して載置できる。また、樹脂製であることの特徴として、使用者が食器を載置するときにソフトな感触が得られる。さらに、指が支持ピン１８の先に当たっても痛くないという利点がある。
【００１１】
しかしながら、樹脂製のかごは、ワイヤ製のかごに比べて、強度を確保するために格子状の枠体が太く形成される。そのため、枠体に水滴が付着しやすく、乾燥効率が低下するという課題がある。そこで、枠体の上面は水がたまらないようにし、下面は水滴が落下しやすいようにするために、断面は円弧形状となるように形成されているのが一般的である。
【００１２】
また、前記従来の構成では、使用者が食器を載置しようと食器かご１０全体を見たときに、皿類セット部１６、碗類や皿類のセットかご１７ともに、数多くの支持ピンが林立し、さまざまな形状を有する食器類９をどこに載置してよいか認識しにくい。このため食器類９が正しい方向や姿勢で載置されず、洗浄水が的確に当たらないため洗浄性が低下するという課題があった。
【００１３】
そこで、前記課題の解決策として、載置される食器の断面形状を模して、載置できる食器の種類や載置する方向を示す構成を有し、使用者が食器類の戴置方法を直感的に認識できるようにしたものがある。図１６は、そのような従来の他の食器洗い機の食器かごの斜視図である。図１７は、図１６のＹ−Ｙ断面図である。
【００１４】
図１６に示される食器かご１７において、碗類は碗の断面形状を模したリブ１９ａが形成されたセット部１９に戴置される。皿類は皿の輪郭形状を模したリブ２０ａが形成されたセット部２０に戴置される。鉢類は鉢の断面形状を模したリブ２１ａが形成されたセット部２１に戴置される。そして、コップ類はコップの横断面形状を模したリブ２２ａが形成されたセット部２２に戴置される。このように、それぞれの食器類はそれぞれのセット部で下から支持されて戴置される。また、図１７において、コップの横断面形状を模したリブ２２ａは、コップ類が当接する複数の支持点が含まれる平面と同じ面上に形成されている。
【先行技術文献】
【特許文献】
【００１５】
【特許文献１】特開平３−２１５２３３号公報
【発明の概要】
【発明が解決しようとする課題】
【００１６】
しかしながら、食器の断面形状を模したリブが形成された前記従来の構成では、例えばコップ類を戴置するセット部において、図１７に示すように、コップの横断面形状を模したリブは、コップ類が当接する複数の支持点が含まれる平面と同じ面上に形成されている。そのため、例えば、コップ類を戴置するセット部にコップ類以外の皿類を戴置したいと思っても、皿類の外周がリブに当接して支持点となる部分の間隔が狭くなる。そのため、安定して戴置することができず、洗浄時には戴置することができない。すなわち、載置される食器の断面形状を模して、載置できる食器の種類や載置する方向を示すリブが、逆に載置可能な食器類を限定してしまうという課題を有していた。
【００１７】
本発明は、前記従来の課題を解決するもので、食器類の断面または輪郭の形状を模した誘導形状部の位置を工夫し、食器かごに載置できる食器の種類や載置する方向を直感的に認識できるようにした上で、同じ領域に異なる種類の食器類を載置する際にも安定して載置可能にしてセット性を向上した食器かごを備え、使い勝手が良く本来の洗浄性能が発揮できる食器洗い機を提供することを目的とする。
【課題を解決するための手段】
【００１８】
前記従来の課題を解決するために、本発明の食器洗い機は、筐体と、前記筐体内に設けられる洗浄槽と、前記洗浄槽内に設けられ、食器類が戴置される食器かごとを備え、前記食器かごは、食器の種類によって区分されたセット部を有する。さらに、前記セット部のうち少なくとも１つは、前記食器類を下から支える支持部と、前記食器類の断面または輪郭の形状を模した誘導形状部とを有し、前記支持部を平面上に含む支持部面と、前記誘導形状部を平面上に含む誘導形状部面とは、異なる位置に構成されたものである。これにより、食器かごに載置できる食器の種類や載置する方向を直感的に認識できるようにした上で、１つの領域に異なる種類の食器類を載置する際にも安定して載置可能になり、食器かごのセット性を向上することができ、食器洗い機は、使い勝手が良くなり本来の洗浄性能を発揮できる。
【発明の効果】
【００１９】
本発明の食器洗い機は、載置できる食器の種類や載置する方向を直感的に認識できるようにした上で、載置できると認識できる食器類に限定せず、同じ領域に異なる食器類を載置する際にも安定して載置可能にしてセット性を向上した食器かごを備え、使い勝手が良く本来の洗浄性能が発揮できる。
【図面の簡単な説明】
【００２０】
【図１】本発明の実施の形態１における食器洗い機の側面断面図
【図２】本実施の形態における食器洗い機の食器かごの斜視図
【図３】本実施の形態における食器洗い機の食器かごの平面図
【図４】本実施の形態における食器洗い機のセットかごの平面図
【図５】本実施の形態における食器洗い機のセットかごの斜視図
【図６】本実施の形態における食器洗い機のセットかごの斜視図
【図７】本実施の形態における食器洗い機のセットかごの要部斜視図
【図８】図４のＡ−Ａ断面図
【図９】図４のＢ−Ｂ断面図
【図１０】（ａ）本実施の形態における食器洗い機の食器かごの斜視図（ｂ）セットかごの要部斜視図
【図１１】（ａ）本発明の実施の形態２における食器洗い機のセットかごの平面図（ｂ）（ａ）のＣ−Ｃ断面図
【図１２】（ａ）本発明の実施の形態３における食器洗い機のセットかごの斜視図（ｂ）（ａ）のＤ−Ｄ断面図
【図１３】従来の食器洗い機の側面断面図
【図１４】従来の食器洗い機の食器かごの斜視図
【図１５】従来の食器洗い機のセットかごの平面図
【図１６】従来の他の食器洗い機の食器かごの斜視図
【図１７】図１６のＹ−Ｙ断面図
【発明を実施するための形態】
【００２１】
第１の発明の食器洗い機は、筐体と、前記筐体内に設けられる洗浄槽と、前記洗浄槽内に設けられ、食器類が戴置される食器かごとを備え、前記食器かごは、食器の種類によって区分されたセット部を有する。さらに、前記セット部のうち少なくとも１つは、前記食器類を下から支える支持部と、前記食器類の断面または輪郭の形状を模した誘導形状部とを有し、前記支持部を平面上に含む支持部面と、前記誘導形状部を平面上に含む誘導形状部面とは、異なる位置に構成されたものである。これにより、食器かごに載置できる食器の種類や載置する方向を直感的に認識できるようにした上で、１つの領域に異なる種類の食器類を載置する際にも安定して載置可能になり、食器かごのセット性を向上することができる。
【００２２】
第２の発明は、第１の発明において、前記食器かごは、前記誘導形状部面が前記支持部面より下方に形成されたものである。これにより、食器かごに載置できる食器の種類や載置する方向を直感的に認識できるようにした上で、異なる食器類を載置する際にも安定して載置可能になり、食器かごのセット性を向上することができる。
【００２３】
第３の発明は、第１または第２の発明において、前記誘導形状部を第１の誘導形状部とし、前記支持部を第１の支持部として、前記食器かごは、前記第１の誘導形状部がコップ類の輪郭または断面形状に形成され、前記第１の支持部にコップまたはコップに類似した形状の食器が伏せて戴置されるように構成されたものである。これにより、食器かごに載置できる食器の種類がコップ類であることを直感的に認識できるようにした上で、コップ類とは形状が全く異なる食器類を載置する際にも輪郭が第１の誘導形状部に接触することなく安定して載置可能になり、食器かごのセット性を向上することができる。
【００２４】
第４の発明は、第３の発明において、前記食器かごは、前記第１の支持部と、前記コップ類とは異なる形状の食器が横向きに立てて戴置される第２の支持部とを備え、前記第１の支持部が形成される範囲と前記第２の支持部が形成される範囲とが重なる領域を有するように構成されたものである。これにより、食器かごに載置できる食器の種類がコップ類であることを直感的に認識できるようにした上で、形状が全く異なる皿類を載置する際にも輪郭が第１の誘導形状部に接触することなく、安定して載置可能になり、食器かごのセット性を向上することができる。
【００２５】
第５の発明は、第４の発明において、前記第２の支持部に戴置される食器の断面または輪郭の形状を模した第２の誘導形状部を有するものである。これにより、１つの領域に２種類の異なる食器類を戴置できることを直感的に認識できるようになり、食器かごのセット性を向上することができる。
【００２６】
第６の発明は、第１から第５のうちいずれかの発明において、前記食器かごは、前記支持部などを構成する縦桟と横桟とを備え、少なくとも前記縦桟と前記横桟のいずれかの下
面に波状の水切り部が形成されたものである。これにより、縦桟や横桟の下面の水滴の滴下が促進され、食器かご全体に残留する水滴が減少し、食器類の水分が蒸発しやすくなり、食器洗い機の乾燥性能を向上することができる。
【００２７】
第７の発明は、第１から第６のうちいずれかの発明において、前記食器かごは、前記縦桟が横並びに連続する所定位置に横方向の細かい溝が形成され、前記溝に包丁の刃が戴置される包丁用戴置部を備えたものである。これにより、包丁は、溝に包丁の刃が滑らないように安定して戴置され、安全に保持される。
【００２８】
以下、本発明の実施の形態について、図を参照しながら説明する。なお、この実施の形態によって本発明が限定されるものではない。
【００２９】
（実施の形態１）
以下に、本発明の実施の形態における食器洗い機の構成について、図面を参照しながら説明する。図１は、本発明の実施の形態１における食器洗い機の側面断面図で、キッチンカウンタなどの上に設置される卓上型食器洗い機である。なお、図１３を用いて説明した従来の食器洗い機と構成は基本的に同じであり、同一符号を付して説明を省略する。以降の説明については、本実施の形態のポイントである食器洗い機に備えられた食器かごについて詳細に説明する。
【００３０】
図２は、本実施の形態における食器洗い機の食器かごの斜視図である。図３は、本実施の形態における食器洗い機の食器かごの平面図である。図４は、本実施の形態における食器洗い機のセットかごの平面図である。図５と図６は、本実施の形態における食器洗い機のセットかごの斜視図である。図７は、本実施の形態における食器洗い機のセットかごの要部斜視図である。なお、図４から図７に食器類９の種類を例示する。食器類９には、鉢類Ａ、中皿類Ｂ、小皿類Ｃ、コップ類Ｄ、碗類Ｅが含まれる。コップ類Ｄには図示しない湯飲み茶碗なども含まれる。また、図示しないが、大皿類Ｆ、箸やスプーン、フォークなどの細長いカトラリー類Ｇ、猪口などの小物類Ｊ、および包丁Ｋなども含まれる。なお、皿で区別した大きさの違いは、洗浄槽２に収容できる範囲での相対的な大きさの違いであるとともに、厳密に区別されるものではない。
【００３１】
図２と図３において、食器かご２３は、ワイヤで構成された枠体２４と、枠体２４に着脱可能に構成され、樹脂で一体に形成されたセットかご２５と、カトラリー類を立てて収容できる小物入れ２６とで構成される。食器洗い機は、矢印Ｘに示される方向が扉体１ａが設けられた前方であり、食器かご２３は洗浄槽２から矢印Ｘ方向に引き出される。
【００３２】
図４から図６において、セットかご２５は、縦方向の縦桟２５ａや横方向の横桟２５ｂなどが組み合わせられた枠体が樹脂で一体に構成され、食器の種類によって区分された複数のセット部を有する。セットかご２５は、例えば、鉢類Ａのセット部２７と、中皿類Ｂのセット部２８ａと、カトラリー類Ｇのセット部２８ｂと、小皿類Ｃとコップ類Ｄのいずれでも戴置できるセット部２９とを有している。碗類Ｅは鉢類Ａと類似形状であり、セット部２７に戴置される。また、図２と図３において、枠体２４でセットかご２５と小物入れ２６が設けられない領域は、大皿類Ｆのセット部２４ａである。鉢類Ａ、中皿類Ｂ、小皿類Ｃ、碗類Ｅ、大皿類Ｆは横向きに立てて載置される。
コップ類Ｄは飲み口を下に向け、伏せて載置される。
【００３３】
まず、図４と図７を参照しながら、セット部２７に鉢類Ａまたは碗類Ｅが戴置される状態を説明する。セット部２７は、対向する２本の横桟２５ｂで構成される支持部材３０と、これら複数の支持部材３０を連結するように複数列形成されるリブ３１とで構成される。図７において、支持部材３０は、横向きに立てて載置される碗類Ｅの口部となる外周の
２ヶ所を下から支持する支持部３０ａと、支持部３０ａに立設された支持ピン３０ｂとから構成される。１つの碗類Ｅは、２列の支持部材３０により支持点Ｐ１、Ｐ２それぞれ２ヶ所の計４点で支持される。碗類Ｅの口部側となる１列目の支持ピン３０ｂは、支持部３０ａとともに碗類Ｅの口部となる外周の下側の２ヶ所をそれぞれ支持点Ｐ１で前方から支持する。２列目の支持ピン３０ｂは、支持点Ｐ２で碗類Ｅを後方から支持する。
【００３４】
リブ３１の中央部３１ａは食器の高台形状を模した凸となっており、リブ３１は、上方から見ると、載置される鉢類Ａや碗類Ｅの断面形状を模した誘導形状部となっている。使用者は、この形状によりセット部２７に戴置できる食器類９が類似形状の鉢類Ａまたは碗類Ｅであり、戴置すべき向きもリブ３１で示される向きであることが直感的に認識できる。
【００３５】
次に、図４から図６と図８および図９を参照しながら、セット部２９に小皿類Ｃとコップ類Ｄが戴置される状態を説明する。すなわち、セット部２９には、形状も戴置方法も異なる２つの食器類が１つの領域に戴置される。図８は、図４のＡ−Ａ断面図である。図９は、図４のＢ−Ｂ断面図である。
【００３６】
まず、小皿類Ｃの戴置について説明する。セット部２９は、支持部材３０とは異なる対向する２本の横桟２５ｂで構成される。セット部２９は、横向きに立てて載置される小皿類Ｃの外周の２ヶ所を下から支持する支持部３２と、支持部３２上に形成され、小皿類Ｃを後方から支持する支持ピン３２ａと、支持ピン３２ａより短く前方から支持する支持ピン３２ｂとから構成される。縦桟２５ａで構成されるリブ３３は、支持部３２を梯子状に連結する。図５に示すように、リブ３３は、下側中央部が下方に膨らむ円弧状に形成されており、側方から見ると、載置される小皿類Ｃの外周の輪郭形状を模した誘導形状部となっている。
【００３７】
つぎに、コップ類Ｄの戴置について説明する。セット部２９は、支持部３２とリブ３３に加え、立設された支持ピン３４とリング状リブ３５とで構成されている。図９に示すように、リブ３３は一方に傾斜しており、コップ類Ｄを支持ピン３４に被せるように伏せると、コップ類Ｄは少し傾いて支持ピン３４に内側から支持されて安定して載置される。このとき、リブ３３が、コップ類Ｄの支持部となり、上述した小皿類Ｃの誘導形状部とを兼ねる。また、支持ピン３４とリング状リブ３５とは２本のリブ３３の間に中間リブ３３ａを含んで１つ置きに形成され、コップ類Ｄの戴置位置として明示する。このリング状リブ３５は、上方から見ると、載置されるコップ類Ｄの開口部の輪郭形状または胴部の横断面形状を模した誘導形状部となっている。
【００３８】
特に、図８において、小皿類Ｃを下から支持する複数の支持部３２を含む平面を支持部面Ｗ１とし、誘導形状部である複数のリング状リブ３５の上面を含む平面を誘導形状部面Ｗ２とすると、いずれの面もほぼ水平に形成される。そして、誘導形状部面Ｗ２が支持部面Ｗ１より所定寸法ｈだけ下方で異なる面上に構成されている。所定寸法ｈが小皿類Ｃの直径を考慮して構成されることにより、小皿類Ｃの外周の下端Ｃ１はリング状リブ３５に当接しない。これにより、セットかご２５のセット部２９に載置できる食器の種類がコップ類Ｄであることを直感的に認識できるようにした上で、コップ類Ｄとは形状も戴置方法も全く異なる食器類９である小皿類Ｃを載置する際にも輪郭が誘導形状部であるリング状リブ３５に接触することなく安定して載置可能になり、食器かご１０のセット性を向上することができる。
【００３９】
また、図４から図６において、中皿類Ｂのセット部２８ａは中皿類Ｂの外周を下から支持する支持部材３６上に後方から支持する支持ピン３７と前方から支持する支持ピン３８とから構成される。支持ピン３７を連結するリブ３９は中央部が下方に膨らむ円弧状に形
成され、リブ３９は載置される中皿類Ｂの輪郭形状を模した誘導形状部となっている。
【００４０】
また、図４から図６において、セット部２８ｂは、縦桟２５ａと横桟２５ｂによって格子状に形成される。縦桟２５ａは側方から見ると中央側が下方に湾曲しており、鉢類Ａのセット部２７やコップ類Ｄのセット部２９の間で、少し低い位置に構成されている。セット部２８ｂの位置は、セット部２７やセット部２９に丸い皿類が戴置されたときには、空間として空きスペースになる。本実施の形態のセットかご２５には、この空いたスペースを有効に利用してセット部２８ｂが設けられる。カトラリー類Ｇは、通常は小物入れ２６に立てて収容されるが、セット部２８ｂにはカトラリー類Ｇを横向きに戴置でき、より多くのカトラリー類Ｇを収容できる。さらに、猪口やデミタスカップなどの小物類Ｊもコップ類Ｄのセット部２９を使用せずとも安定して収容することができ、多様な形状の食器をより多く収容することができる。
【００４１】
さらに、図１０（ａ）は、本実施の形態における食器洗い機の食器かごの斜視図で、包丁Ｋを戴置した状態を示す。図１０（ｂ）は、セットかごの要部斜視図である。図１０（ｂ）に示すように、セット部２９では、コップ類Ｄを支持するリブ３３と中間リブ３３ａを構成する縦桟２５ａが横並びに連続する。そして、これらの縦桟２５ａの所定位置に横方向の細かい溝２５ｃが形成されている。包丁Ｋの先端が位置する近傍には包丁支持部２５ｄが形成されている。包丁Ｋは、溝２５ｃに包丁Ｋの刃が滑らないように安定して戴置され、包丁支持部２５ｄや小物入れ２６により倒れないように支持される。このようにして、セット部２９は包丁用セット部を有し、食器かご２３の引き出し方向Ｘで食器かご２３の前部となる目立つ位置で、包丁Ｋを安全に保持することができる。
【００４２】
以上のように構成された食器洗い機について、以下その動作、作用を説明する。使用者は、食器類９を食器かご２３に載置するときに戴置位置を確認する。このとき、セットかご２５は、鉢類Ａ、小皿類Ｃ、コップ類Ｄ、中皿類Ｂの戴置位置にそれぞれの食器を模したリブ３１、３３、３５、３９を誘導形状部として有するため、使用者は直感的に戴置位置や戴置方向を認識することができる。これにより、食器の載置時間を短縮することができる。
【００４３】
また、セットかご２５は、小皿類Ｃとコップ類Ｄは同じ１つの領域を戴置位置としている。しかし、それぞれの食器を模した誘導形状部があり、また、小皿類Ｃの支持部面Ｗ１に対してコップ類Ｄの誘導形状部面Ｗ２を所定寸法ｈだけ低い位置に構成したことで、コップ類Ｄのリング状リブ３５が小皿類Ｃの載置を邪魔することなく、小皿類Ｃを戴置する場合でも、コップ類Ｄを戴置する場合でも、安定して戴置することができる。
【００４４】
さらに、食器洗い機は、戴置位置に正しく戴置された食器類９に対して洗浄水の噴射方向が設定されているため、間違った方向に食器類９が載置された場合、洗浄水が勢いよく当たらず洗浄性能の低下を招くおそれがあった。しかし、本実施の形態によれば、使用者は直感的に戴置位置と方向が認識できるため、戴置方向を間違えることなく、正しく戴置された食器類９はきれいに洗浄され、食器洗い機は本来の洗浄性能を発揮することができる。
【００４５】
また、セットかご２５は樹脂で一体に形成されており、誘導形状部としての各リブで各支持部などを連結していることから、セットかご２５自体の剛性を向上することにも寄与している。
【００４６】
また、各誘導形状部は、本実施の形態で説明したものに限定されるものではなく、食器かごのデザインや載置される食器の種類などに合わせて各リブの形状を変更してもよい。また、本実施の形態では、セットかご２５を樹脂で形成し、各リブも樹脂製としたが、こ
れらをワイヤや金属で構成したとしても同等の効果を得ることができる。また、コップ類Ｄを横断面形状のリング状で形成したが、縦断面形状でもよい。
【００４７】
また、食器類９の下部や後ろの支持点数は本実施の形態では２ヶ所ずつとしたが、これに限定されるものではなく、安定的に支持できれば後方の支持点数を１つとしてもよい。
【００４８】
さらに、同一領域に戴置できる異なる種類の食器について、本実施の形態では小皿類Ｃとコップ類Ｄとで説明したが、これに限定されるものではなく、２種以上でも形状が全く異なる食器類に対応できればよい。
【００４９】
また、リブで構成される各誘導形状部と、食器類を支持する支持部の位置関係においても、本実施の形態で述べた高さ方向や構成に限定されるものでなく、異なる種類の食器配置における空間が確保できるのであればよい。
【００５０】
（実施の形態２）
実施の形態２として、誘導形状部の構成について説明する。図１１（ａ）は、本発明の実施の形態２における食器洗い機のセットかごの平面図である。図１１（ｂ）は、図１１（ａ）のＣ−Ｃ断面図である。
【００５１】
図１１（ｂ）において、セット部２７に形成されたリブ３１は、鉢類Ａの高台形状を模した誘導形状部を傾斜させて形成したものである。これにより、リブ３１が平面上細く見えるように形成されることで洗浄水を遮蔽する量が少なくなり、洗浄性能をより向上することができる。
【００５２】
また、水平面に構成したときに比べ、鉢類Ａや碗類Ｅの食器類９が戴置しやすくなり、食器と食器との隙間を小さくしても水平面での構成と同等のセット性を確保できる。
【００５３】
また、断面形状を水滴が残りにくくするだけでなく、リブ３１全体が斜めに構成されるため、水滴が流れ落ちやすく、より残りにくいため水切り性がよく、乾燥性能を向上することができる。
【００５４】
（実施の形態３）
実施の形態３として、食器類を支持する支持部やリブなどを含め、セットかごの全体を構成する縦桟と横桟の構成について説明する。図１２（ａ）は、本発明の実施の形態３における食器洗い機のセットかごの斜視図で、実施の形態１で説明したセット部２７とセット部２８ｂの近傍を斜め下方から見た状態を示す。図１２（ｂ）は、図１２（ａ）のＤ−Ｄ断面図で、実施の形態１で説明したセット部２８ａの横桟２５ｂの断面を示す。
【００５５】
図１２（ａ）において、縦桟２５ａと横桟２５ｂの下方裏側には、細長い三角形の水切り部４０が多数形成されている。図１２（ｂ）において、横桟２５ｂの横断面形状は、上方表側の上面が円弧状に形成され、下方裏側の下面が三角形に形成されている。水切り部４０は、横桟２５ｂの長手方向で下面の先端に沿って、細長く、また、連続して波状に形成されている。
【００５６】
この構成により、食器かご２３に降り注いだ洗浄水は、横桟２５ｂの上面から下面にスムーズに流れ落ちる。特に、水滴となって流れる場合には、上面から下面に鉛直方向に流れ、さらに水切り部４０の下端を三角形の頂点方向に伝って流れる。このとき、複数の水滴が合流する機会が増え、水滴は横桟２５ｂからより滴下しやすくなる。このようにして、水切り部４０がない場合には横桟２５ｂの下面の先端にとどまるような水滴も水切り部４０により滴下が促進され、セットかご２５全体に残留する水滴が減少する。これにより
、食器類９の水分が蒸発しやすくなり、食器洗い機の乾燥性能を向上することができる。
【００５７】
なお、縦桟２５ａでも水切り部４０の構成と機能は同様である。また、ワイヤ製の食器かごについても、枠体を上下にジグザクとなる波形に形成することにより、樹脂で形成された水切り部と同様の効果を得ることができる。また、水切り部は三角形を形成する直線に限るものではなく、円弧形状でもよい。
【産業上の利用可能性】
【００５８】
以上のように、本発明にかかる食器洗い機は、食器類を戴置するセット部に誘導する食器類の断面や輪郭を模した形状の誘導形状部を有することで、使用者が載置できる食器の種類や載置する方向を直感的に認識できるようになり、また、形状や戴置方法が全く異なる複数の食器類を１つの領域に安定して戴置できるので、食器洗い機や食器洗い乾燥機などに設置される食器かごに有用である。
【符号の説明】
【００５９】
１  筐体
２  洗浄槽
３  給水弁
５  洗浄ポンプ
７  洗浄ノズル
８  ヒータ
９  食器類
１０  食器かご
１１  排水ポンプ
１３  送風ファン
１４  サーミスタ
１５  制御装置
１６  皿類セット部
２３  食器かご
２４  枠体
２４ａ  セット部
２５  セットかご
２５ａ  縦桟
２５ｂ  横桟
２５ｃ  溝
２６  小物入れ
２７  セット部
２８ａ  セット部
２８ｂ  セット部
２９  セット部
３０  支持部材
３０ａ  支持部
３０ｂ  支持ピン
３１  リブ（誘導形状部）
３２  支持部（第２の支持部）
３２ａ、３２ｂ  支持ピン
３３  リブ（小皿類の第２の誘導形状部、コップ類の第１の支持部）
３４  支持ピン
３５  リング状リブ（第１の誘導形状部）
３６  支持部材
３７  支持ピン
３８  支持ピン
３９  リブ（誘導形状部）
４０  水切り部
Ａ  鉢類
Ｂ  中皿類
Ｃ  小皿類
Ｄ  コップ類
Ｅ  碗類
Ｆ  大皿類
Ｇ  カトラリー類
Ｊ  小物類
Ｋ  包丁
Ｗ１  支持部面
Ｗ２  誘導形状部面
【図１】
2015160027.tif 000003
【図２】
2015160027.tif 000004
【図３】
2015160027.tif 000005
【図４】
2015160027.tif 000006
【図５】
2015160027.tif 000007
【図６】
2015160027.tif 000008
【図７】
2015160027.tif 000009
【図８】
2015160027.tif 000010
【図９】
2015160027.tif 000011
【図１０】
2015160027.tif 000012
【図１１】
2015160027.tif 000013
【図１２】
2015160027.tif 000014
【図１３】
2015160027.tif 000015
【図１４】
2015160027.tif 000016
【図１５】
2015160027.tif 000017
【図１６】
2015160027.tif 000018
【図１７】
2015160027.tif 000019